(57)【要約】      （修正有）【課題】遮音機能付き排水ポンプを提供する。【解決手段】遮音機能付き排水ポンプ１０のハウジング２１は複数のスペーサー２６、複数の板状ストッパー２５、複数のスリット２７、複数の水流誘導板２６１および外壁面２８を有する。複数のスペーサーおよび複数の板状ストッパーはハウジングの底板２１１から上に伸びて形成される。複数のスリットは二つずつのスペーサーの間に所定距離を置いて形成される。複数の水流誘導板はそれぞれスペーサーからスリットの辺縁部に沿って外側かつ斜めに伸びて形成される。複数の水流誘導板はスリットの別の一つの辺縁部に位置するスペーサーに所定距離を置いて開口部が外向きの流路を形成する。複数の板状ストッパーはそれぞれスリットと穿孔２１２との間に位置する。外壁面は複数のスペーサーからなる円筒構造の外側を囲んで円筒構造との間が環状空間になる。外壁面は複数の溢水孔２８１を有する。【選択図】図３
2020169639.tif 000002
【特許請求の範囲】
【請求項１】
ホルダー、ハウジング、および蓋、を備え、
前記ホルダーは、底部に形成された吸水口および側面に形成された排水口を有し、
前記ハウジングは、円筒状を呈し、前記ホルダーの上方に配置されて前記ホルダーとの間が排水室になり、前記排水室は前記吸水口および前記排水口に繋がり、
前記ハウジングは、モーター格納室および溢水収容室を有し、排水羽根車は前記排水室内に配置され、モーターは前記モーター格納室内に格納され、前記溢水収容室は前記モーター格納室の下方に位置し、
前記ハウジングは、底板および前記底板に形成された穿孔を有し、前記穿孔は前記排水室に繋がり、前記排水羽根車および前記モーターの駆動軸は前記穿孔によって相互に連結され、
前記蓋は、前記ハウジングに配置されて前記モーター格納室を覆い、
前記ハウジングは、さらに複数のスペーサーおよび複数のスリットを有し、複数の前記スペーサーは前記ハウジングの前記底板から上に伸びて形成され、前記溢水収容室内に円弧状に配置されて前記穿孔を囲んで円筒構造になり、複数の前記スリットは二つずつの前記スペーサーの間に所定距離を置いて形成され、前記円筒構造の軸心に対して等角を呈するように配置され、複数の前記スペーサーは複数の水流誘導板を有し、複数の前記水流誘導板はそれぞれ前記スペーサーから前記スリットの辺縁部に沿って外側かつ斜めに伸びて形成され、かつ前記スリットに跨って前記スリットの別の一つの辺縁部まで伸び、複数の前記水流誘導板は前記スリットの別の一つの辺縁部に位置する前記スペーサーに所定距離を置いて開口部が外向きの流路を形成し、複数の前記スペーサーから囲まれた空間は複数の前記スリットおよび複数の前記流路によって外部に繋がり、
前記ハウジングは、さらに複数の板状ストッパーおよび外壁面を有し、複数の前記板状ストッパーは前記ハウジングの前記底板から上に伸びて形成され、それぞれ前記スリットに対応して前記スリットと前記穿孔との間に位置し、前記板状ストッパーは対応する前記スリットに所定距離を置いて前記スリットを開放状態に維持し、前記外壁面は複数の前記スペーサーからなる前記円筒構造の外側を囲んで前記円筒構造との間が環状空間になり、前記外壁面は複数の溢水孔を有し、複数の前記溢水孔は底部が前記ハウジングの前記底板に位置し、かつ前記環状空間に繋がる  ことを特徴とする、
遮音機能付き排水ポンプ。
【請求項２】
複数の前記スペーサーは高さが同じであり、複数の水流誘導板および複数の前記スペーサーは高さが同じであり、複数の前記板状ストッパーおよび複数の前記スペーサーは高さが同じであり、前記モーターは底部が複数の前記スペーサー、複数の前記板状ストッパーおよび複数の前記水流誘導板の頂部に当接することを特徴とする請求項１に記載の遮音機能付き排水ポンプ。
【請求項３】
複数の前記スペーサーにおいて、一部分の前記スペーサーは少なくとも二つの凸状柱部を有し、前記凸状柱部は前記スペーサーの頂部から上に伸びて形成され、前記モーターは底部に少なくとも二つの凹状孔を有し、前記モーターの底部が複数の前記スペーサーおよび複数の前記水流誘導板の頂部に当接する際、少なくとも二つの前記凸状柱部は少なくとも二つの前記凹状孔に嵌まり込むことを特徴とする請求項２に記載の遮音機能付き排水ポンプ。
【請求項４】
複数の前記溢水孔はそれぞれ前記水流誘導板の近くに配置され、即ち二つの隣り合う前記水流誘導板の間でかつそのうちの一つの前記水流誘導板の近くに配置されることを特徴とする請求項１に記載の遮音機能付き排水ポンプ。
【請求項５】
複数の前記水流誘導板は円弧状を呈することを特徴とする請求項１に記載の遮音機能付き排水ポンプ。
【請求項６】
複数の前記水流誘導板は前記円筒構造の軸心を中心に時計回りに並んで広がることを特徴とする請求項１に記載の遮音機能付き排水ポンプ。
【請求項７】
複数の前記板状ストッパーの幅は前記スリットの幅と同であるか、それより大きいことを特徴とする請求項１に記載の遮音機能付き排水ポンプ。
【請求項８】
前記蓋は複数のフック部を有し、複数の前記フック部は前記蓋の外側から下方に伸びて形成され、前記ハウジングはさらに外側面に複数の嵌合部を有し、前記蓋は複数の前記フック部が複数の前記嵌合部に引っ掛かることによって前記ハウジングに固定され、複数の前記溢水孔はそれぞれ前記嵌合部に対応する位置の下方に配置されることを特徴とする請求項１に記載の遮音機能付き排水ポンプ。
【発明の詳細な説明】
【技術分野】
【０００１】
本発明は、排水装置に関し、詳しく言えば空調装置に用いられる遮音機能付き排水ポンプに関するものである。
【背景技術】
【０００２】
特許文献１により掲示された空調装置用排水ポンプは、モーターのハウジングの下方に配置された蓋と、モーターを支える円筒状の外側筒部および内側筒部と、残水を外部へ誘導するために外側筒部の排水用スリットに配置された誘導部材とが特徴である。
該案は残水を外部へ誘導するために外側筒部の排水用スリットだけでなく、蓋の排水用スリットにも誘導部材を配置することを開示している。該案は外側筒部によって内側筒部の隙間を遮蔽し、モーターの稼働に伴って生じた騒音を部分的に遮断することができるが、排水経路が長過ぎることが原因で残水排出処理の困難性が高くなるという問題を抱えている。
【０００３】
特許文献２により掲示された空調装置用排水ポンプは、モーターケースの下方の円筒状胴部に形成された複数のスリットと、複数のスリットに跨る水流誘導板からなる外向きの流路とによって排水経路を短縮することが特徴である。
該案は排水経路を短縮し、水流誘導板によって筒状胴部内の音を遮断することができるとしても、筒状胴部内の音を複数のスリットから外部に漏らしてしまうため、騒音抑制効果は限られる。
【０００４】
上述した先行技術においては、遮音効果がよければ排水ポンプハウジングの排水経路が比較的長い。それに対して排水経路が比較的短ければ排水ポンプハウジングの騒音が比較的大きい。従って、現在の技術は遮音および排水経路短縮を同時に実現させることができない。
【先行技術文献】
【特許文献】
【０００５】
【特許文献１】中国特許ＣＮ１０４５１４７２５Ａ号公報
【特許文献２】台湾特許Ｉ６１２２２１号公報
【発明の概要】
【発明が解決しようとする課題】
【０００６】
本発明は、騒音を遮断できるだけでなく、排水経路を短縮できる遮音機能付き排水ポンプを提供することを主な目的とする。
【課題を解決するための手段】
【０００７】
上述した課題を解決するため、遮音機能付き排水ポンプはホルダー、ハウジングおよび蓋を備える。ホルダーは底部に形成された吸水口および側面に形成された排水口を有する。ハウジングは円筒状を呈し、ホルダーの上方に配置されてホルダーとの間が排水室になる。吸水口および排水口は排水室に繋がる。ハウジングはモーター格納室および溢水収容室を有する。排水羽根車は排水室内に配置される。モーターはモーター格納室内に格納される。溢水収容室はモーター格納室の下方に位置する。ハウジングは底板および底板に形成された穿孔を有する。穿孔は排水室に繋がる。排水羽根車およびモーターの駆動軸は穿孔によって相互に連結される。蓋はハウジングに配置されてモーター格納室に被さる。ハウジングはさらに複数のスペーサーおよび複数のスリットを有する。複数のスペーサーはハウジングの底板から上に伸びて形成され、溢水収容室内に円弧状に配置されて穿孔を囲んで円筒構造になる。複数のスリットは二つずつのスペーサーの間に所定距離を置いて形成され、円筒構造の軸心に対して等角を呈するように配置される。複数のスペーサーは複数の水流誘導板を有する。複数の水流誘導板はそれぞれスペーサーからスリットの辺縁部に沿って外側かつ斜めに伸びて形成され、かつスリットに跨ってスリットの別の一つの辺縁部まで伸びていく。複数の水流誘導板はスリットの別の一つの辺縁部に位置するスペーサーに所定距離を置いて開口部が外向きの流路を形成する。複数のスペーサーから囲まれた空間は複数のスリットおよび複数の流路によって外部に繋がる。ハウジングはさらに複数の板状ストッパーおよび外壁面を有する。複数の板状ストッパーはハウジングの底板から上に伸びて形成され、それぞれスリットに対応してスリットと穿孔との間に位置する。板状ストッパーは対応するスリットに所定距離を置いてスリットを開放状態に維持する。外壁面は複数のスペーサーからなる円筒構造の外側を囲んで円筒構造との間が環状空間になる。外壁面は複数の溢水孔を有する。複数の溢水孔は底部がハウジングの底板に位置し、かつ環状空間に繋がる。
【０００８】
上述したとおり、本発明は外壁面、板状ストッパーおよび水流誘導板で音を多重に遮断する構造によって良好な騒音抑制効果を発揮することができる。
【０００９】
さらに詳しく言えば、溢水孔を水流誘導板の近くに配置する、即ち二つの隣り合う水流誘導板の間かつそのうちの一つの水流誘導板の近くに溢水孔を配置すれば、従来の技術と比べて流路が短くなり、排水が容易になる。つまり、従来の技術と比べて、本発明は上述した配置方式により流路短縮効果および騒音抑制効果を同時に発揮し、機能を向上させることができる。
【図面の簡単な説明】
【００１０】
【図１】本発明の一実施形態による遮音機能付き排水ポンプを示す斜視図である。
【図２】本発明の一実施形態による遮音機能付き排水ポンプを示す分解斜視図である。
【図３】本発明の一実施形態による遮音機能付き排水ポンプのハウジングの内部構造を示す分解斜視図である。
【図４】本発明の一実施形態による遮音機能付き排水ポンプのモーターの底部を示す斜視図である。
【図５】本発明の一実施形態による遮音機能付き排水ポンプのハウジングの内部構造を示す平面図である。
【図６】図５中の６−６線に沿った断面図である。
【発明を実施するための形態】
【００１１】
以下、本発明による遮音機能付き排水ポンプを図面に基づいて説明する。
【００１２】
（一実施形態）
図１から図６に示すように、本発明の一実施形態による遮音機能付き排水ポンプ１０はホルダー１１、ハウジング２１、および蓋３１を備える。
【００１３】
ホルダー１１は、底部に形成された吸水口１２および側面に形成された排水口１４を有する。
【００１４】
ハウジング２１は、円筒状を呈し、ホルダー１１の上方に配置されてホルダー１１との間が排水室１８になる。吸水口１２および排水口１４は排水室１８に繋がる。ハウジング２１はモーター格納室２２および溢水収容室２４を有する。排水羽根車１９は排水室１８内に配置される。モーター２３はモーター格納室２２内に格納される。溢水収容室２４はモーター格納室２２の下方に位置する。
ハウジング２１は底板２１１、穿孔２１２および複数の嵌合部２１３を有する。穿孔２１２は底板２１１に形成された、排水室１８に繋がる。排水羽根車１９およびモーター２３の駆動軸は穿孔２１２によって相互に連結される。モーター２３および駆動軸は熟知されているため、詳しい説明は省略する。複数の嵌合部２１３はハウジング２１の外側面に形成される。
【００１５】
蓋３１は、ハウジング２１に配置されてモーター格納室２２を覆い、複数のフック部３１３を有する。複数のフック部３１３は蓋３１の外側から下方に伸びて形成される。蓋３１は複数のフック部３１３が複数の嵌合部２１３に引っ掛かることによってハウジング２１に固定される。
【００１６】
ハウジング２１は、さらに複数のスペーサー２６および複数のスリット２７を有する。複数のスペーサー２６はハウジング２１の底板２１１から上に伸びて形成され、溢水収容室２４内に円弧状に配置されて穿孔２１２を囲んで円筒構造になる。複数のスリット２７は二つずつのスペーサー２６の間に所定距離を置いて形成され、円筒構造の軸心に対して等角を呈するように配置される。複数のスペーサー２６は複数の水流誘導板２６１を有する。複数の水流誘導板２６１はそれぞれのスリット２７の辺縁部から外側かつ斜めに伸びて形成される。本実施形態において、複数の水流誘導板２６１は円弧状を呈し、それぞれスリット２７に跨ってスリット２７の別の一つの辺縁部まで伸びていく。
複数の水流誘導板２６１はスリット２７の別の一つの辺縁部に位置するスペーサー２６に所定距離を置いて開口部が外向きの流路２７１を形成する。複数のスペーサー２６から囲まれた空間は複数のスリット２７および複数の流路２７１によって外部に繋がる。複数の水流誘導板２６１は円筒構造の軸心を中心に時計回りに並んで広がる。
【００１７】
ハウジング２１は、さらに複数の板状ストッパー２５を有する。複数の板状ストッパー２５はハウジング２１の底板２１１から上に伸びて形成され、それぞれスリット２７に対応してスリット２７と穿孔２１２との間に位置する。板状ストッパー２５は対応するスリット２７に所定距離を置いてスリット２７を開放状態に維持する。
板状ストッパー２５は遮音効果を発揮できるため、筒状構造内の音は複数のストッパー２５によって遮断され、複数のスリット２７から漏れることがない。板状ストッパー２５を配置する際、板状ストッパー２５の幅はスリット２７の幅と同であるか、それより大きくてもよい。本実施形態において、板状ストッパー２５とスリット２７は幅が同じである。
【００１８】
ハウジング２１は、さらに外壁面２８を有する。外壁面２８は複数のスペーサー２６からなる円筒構造の外側を囲んで円筒構造との間が環状空間２９になる。外壁面２８は複数の溢水孔２８１を有する。本実施形態は三つの溢水孔２８１を例として挙げる。複数の溢水孔２８１は複数の嵌合部２１３に対応する位置の下方に配置される。詳しく言えば、型を開ける際の利便性をはかるために嵌合部２１３および溢水孔２８１を相互に対応させて上方および下方に位置させる。
複数の溢水孔２８１は底部がハウジング２１の底板２１１に位置し、かつ環状空間２９に繋がる。一方、溢水孔２８１は水流誘導板２６１の近くに配置される。詳しく言えば溢水孔２８１は二つの隣り合う水流誘導板２６１の間の中央位置からずれてそのうちの一つの水流誘導板２６１の近くに配置される。
【００１９】
図６に示すように、製作する際、複数のスペーサー２６の高さを一致させてもよい。複数の水流誘導板２６１の高さおよび複数のスペーサー２６の高さを一致させてもよい。複数の板状ストッパー２５の高さおよび複数のスペーサー２６の高さを一致させてもよい。モーター２３の底部を複数のスペーサー２６、複数の板状ストッパー２５および複数の水流誘導板２６１の頂部に当接させてもよい。つまり、複数のスペーサー２６および溢水収容室２４は高さが一致する。モーター格納室２２は複数のスペーサー２６の頂部の上方に位置する。
図３に示すように、複数のスペーサー２６において、一部分のスペーサー２６は二つの凸状柱部２６２を有する。二つの凸状柱部２６２はスペーサー２６の頂部から上に伸びて形成される。モーター２３は底部に二つの凹状孔２３２を有する。モーター２３の底部が複数のスペーサー２６および複数の水流誘導板２６１の頂部に当接する際、二つの凸状柱部２６２は二つの凹状孔２３２に嵌まり込んで位置決め効果を生じる。凸状柱部２６２および凹状孔２３２の数が二つ以上であれば位置決め効果を向上させることができる。
【００２０】
複数のスペーサー２６および複数の板状ストッパー２５は高さが異なってもよい。モーター２３の安定性さえ確保できればよい。
【００２１】
以上は本発明の構成についての説明である。続いて、本発明の稼働状態について説明を進める。
【００２２】
図２に示すように、遮音機能付き排水ポンプ１０が正常稼働する際、排水羽根車１９はモーター２３の駆動力によって回転し、排水室１８内の水を排水口１４から外部へ排出する。排水口１４は通常排水管（図中未表示）に連結され、水を外部へ吸引して流出させる。排水管の連結方式は熟知されているため、図面の表示を省略する。
【００２３】
図２、図３、図５および図６に示すように、モーター２３の電源を切るか、モーター２３の運転が停止すると、排水羽根車１９の回転が停止する。このとき排水管内の水は一部分が排水室１８に逆流する。排水羽根車１９は排水室１８内に配置されるため、逆流した水は排水室１８にゆっくり浸入し、穿孔２１２から溢水収容室２４の円筒構造に流れ込む。
続いて円筒構造内の水は複数のスリット２７から複数の流路２７１を通って環状空間２９に流れ込む。続いて、溢水孔２８１は一つの水流誘導板２６１の近く、即ち流路２７１の開口部の近くに位置するため、複数の流路２７１から流出した水は溢水孔２８１へ迅速に流動し、続いて外部へ流出することができる。
【００２４】
溢水孔２８１は数を状況に応じて決めてもよい。本実施形態において、三つの水流誘導板２６１の近くに配置された三つの溢水孔２８１はオーバーフロー効果を十分に発揮できるため、四つ目の溢水孔２８１を配置することは必要ではない。本実施例に採用された三つの溢水孔２８１はそれぞれ流路２７１の開口部の近くに配置されて流路２７１の短縮および迅速な排水を実現させるため、逆流した水は排出できず円筒構造内に残留して水位を上昇させてモーター２３を損害させることが発生しない。一方、四つ目の溢水孔２８１を配置する際、図５に示すように、溢水孔２８１と複数の水流誘導板２６１の相対的関係を参考にして溢水孔２８１および複数の水流誘導板２６１を相互に対応させるように配置すればよい。
【００２５】
上述をまとめると、本発明において、板状ストッパー２５は音がスリット２７から漏れることを抑制できる。複数の水流誘導板２６１はスリット２７を通った音を遮断できる。ハウジング２１の外壁面２８は複数の水流誘導板２６１の外側に配置されて遮音効果を生じることができる。つまり、本発明は複数の水流誘導板２６１および外壁面２８によって騒音を多重に遮断し、遮音効果を向上させることができる。
一方、従来の技術と比べて、溢水孔２８１が水流誘導板２６１の近くに配置されるため、流路２７１は短縮され、溢水収容室２４内の水を迅速に流出させることができる。つまり、従来の技術と比べて、本発明は流路短縮効果および騒音抑制効果を同時に発揮し、機能を向上させることができる。
【符号の説明】
【００２６】
１０  遮音機能付き排水ポンプ
１１  ホルダー
１２  吸水口
１４  排水口
１８  排水室
１９  排水羽根車
２１  ハウジング
２１１  底板
２１２  穿孔
２１３  嵌合部
２２  モーター格納室
２３  モーター
２３２  凹状孔
２４  溢水収容室
２５  板状ストッパー
２６  スペーサー
２６１  水流誘導板
２６２  凸状柱部
２７  スリット
２７１  流路
２８  外壁面
２８１  溢水孔
２９  環状空間
３１  蓋
３１３  フック部
【図１】
2020169639.tif 000003
【図２】
2020169639.tif 000004
【図３】
2020169639.tif 000005
【図４】
2020169639.tif 000006
【図５】
2020169639.tif 000007
【図６】
2020169639.tif 000008
【手続補正書】
【提出日】令和2年7月2日(2020.7.2)
【手続補正１】
【補正対象書類名】特許請求の範囲
【補正対象項目名】全文
【補正方法】変更
【補正の内容】
【特許請求の範囲】
【請求項１】
ホルダー、ハウジング、および蓋、を備え、
前記ホルダーは、底部に形成された吸水口および側面に形成された排水口を有し、
前記ハウジングは、円筒状を呈し、前記ホルダーの上方に配置されて前記ホルダーとの間が排水室になり、前記排水室は前記吸水口および前記排水口に繋がり、
前記ハウジングは、モーター格納室および溢水収容室を有し、排水羽根車は前記排水室内に配置され、モーターは前記モーター格納室内に格納され、前記溢水収容室は前記モーター格納室の下方に位置し、
前記ハウジングは、底板および前記底板に形成された穿孔を有し、前記穿孔は前記排水室に繋がり、前記排水羽根車および前記モーターの駆動軸は前記穿孔によって相互に連結され、
前記蓋は、前記ハウジングに配置されて前記モーター格納室を覆い、
前記ハウジングは、さらに複数のスペーサーおよび複数のスリットを有し、複数の前記スペーサーは前記ハウジングの前記底板から上に伸びて形成され、前記溢水収容室内に円弧状に配置されて前記穿孔を囲んで円筒構造になり、複数の前記スリットは二つずつの前記スペーサーの間に所定距離を置いて形成され、前記円筒構造の軸心に対して等角を呈するように配置され、複数の前記スペーサーは複数の水流誘導板を有し、複数の前記水流誘導板はそれぞれ、前記スリットを挟む二つの前記スペーサーのうち一方の前記スペーサーの端部から、前記スリットを跨ぐように、前記円筒構造の外側に向かって円弧状に伸びて形成されて、他方の前記スペーサーとの間に所定距離を置いて開口部が外向きの流路を形成し、複数の前記スペーサーから囲まれた空間は複数の前記スリットおよび複数の前記流路によって外部に繋がり、
前記ハウジングは、さらに複数の板状ストッパーおよび外壁面を有し、複数の前記板状ストッパーは前記ハウジングの前記底板から上に伸びて形成され、それぞれ前記スリットに対応して前記スリットと前記穿孔との間に位置し、前記板状ストッパーは対応する前記スリットに所定距離を置いて前記スリットを開放状態に維持し、前記外壁面は複数の前記スペーサーからなる前記円筒構造の外側を囲んで前記円筒構造との間が環状空間になり、前記外壁面は複数の溢水孔を有し、複数の前記溢水孔は底部が前記ハウジングの前記底板に位置し、かつ前記環状空間に繋がる  ことを特徴とする、
遮音機能付き排水ポンプ。
【請求項２】
複数の前記スペーサーは高さが同じであり、複数の水流誘導板および複数の前記スペーサーは高さが同じであり、複数の前記板状ストッパーおよび複数の前記スペーサーは高さが同じであり、前記モーターは底部が複数の前記スペーサー、複数の前記板状ストッパーおよび複数の前記水流誘導板の頂部に当接することを特徴とする請求項１に記載の遮音機能付き排水ポンプ。
【請求項３】
複数の前記スペーサーにおいて、一部分の前記スペーサーは少なくとも二つの凸状柱部を有し、前記凸状柱部は前記スペーサーの頂部から上に伸びて形成され、前記モーターは底部に少なくとも二つの凹状孔を有し、前記モーターの底部が複数の前記スペーサーおよび複数の前記水流誘導板の頂部に当接する際、少なくとも二つの前記凸状柱部は少なくとも二つの前記凹状孔に嵌まり込むことを特徴とする請求項２に記載の遮音機能付き排水ポンプ。
【請求項４】
複数の前記溢水孔はそれぞれ前記水流誘導板の近くに配置され、即ち二つの隣り合う前記水流誘導板の間でかつそのうちの一つの前記水流誘導板の近くに配置されることを特徴とする請求項１に記載の遮音機能付き排水ポンプ。
【請求項５】
複数の前記水流誘導板は円弧状を呈することを特徴とする請求項１に記載の遮音機能付き排水ポンプ。
【請求項６】
複数の前記水流誘導板は前記円筒構造の軸心を中心に時計回りに並んで広がることを特徴とする請求項１に記載の遮音機能付き排水ポンプ。
【請求項７】
複数の前記板状ストッパーの幅は前記スリットの幅と同であるか、それより大きいことを特徴とする請求項１に記載の遮音機能付き排水ポンプ。
【請求項８】
前記蓋は複数のフック部を有し、複数の前記フック部は前記蓋の外側から下方に伸びて形成され、前記ハウジングはさらに外側面に複数の嵌合部を有し、前記蓋は複数の前記フック部が複数の前記嵌合部に引っ掛かることによって前記ハウジングに固定され、複数の前記溢水孔はそれぞれ前記嵌合部に対応する位置の下方に配置されることを特徴とする請求項１に記載の遮音機能付き排水ポンプ。
【手続補正２】
【補正対象書類名】明細書
【補正対象項目名】０００７
【補正方法】変更
【補正の内容】
【０００７】
上述した課題を解決するため、遮音機能付き排水ポンプはホルダー、ハウジングおよび蓋を備える。ホルダーは底部に形成された吸水口および側面に形成された排水口を有する。ハウジングは円筒状を呈し、ホルダーの上方に配置されてホルダーとの間が排水室になる。吸水口および排水口は排水室に繋がる。ハウジングはモーター格納室および溢水収容室を有する。排水羽根車は排水室内に配置される。モーターはモーター格納室内に格納される。溢水収容室はモーター格納室の下方に位置する。ハウジングは底板および底板に形成された穿孔を有する。穿孔は排水室に繋がる。排水羽根車およびモーターの駆動軸は穿孔によって相互に連結される。蓋はハウジングに配置されてモーター格納室に被さる。ハウジングはさらに複数のスペーサーおよび複数のスリットを有する。複数のスペーサーはハウジングの底板から上に伸びて形成され、溢水収容室内に円弧状に配置されて穿孔を囲んで円筒構造になる。複数のスリットは二つずつのスペーサーの間に所定距離を置いて形成され、円筒構造の軸心に対して等角を呈するように配置される。複数のスペーサーは複数の水流誘導板を有する。複数の水流誘導板はそれぞれ前記スリットを挟む二つの前記スペーサーのうち一方の前記スペーサーの端部から、前記スリットを跨ぐように、前記円筒構造の外側に向かって円弧状に伸びて形成されて、他方の前記スペーサーとの間に、開口部が外向きの流路を形成する。複数の水流誘導板は他方の前記スペーサーとの間に、開口部が外向きの流路を形成しており、他方の前記スペーサーとの間に所定距離を置いて、開口部が外向きの流路を形成している。複数のスペーサーから囲まれた空間は複数のスリットおよび複数の流路によって外部に繋がる。ハウジングはさらに複数の板状ストッパーおよび外壁面を有する。複数の板状ストッパーはハウジングの底板から上に伸びて形成され、それぞれスリットに対応してスリットと穿孔との間に位置する。板状ストッパーは対応するスリットに所定距離を置いてスリットを開放状態に維持する。外壁面は複数のスペーサーからなる円筒構造の外側を囲んで円筒構造との間が環状空間になる。外壁面は複数の溢水孔を有する。複数の溢水孔は底部がハウジングの底板に位置し、かつ環状空間に繋がる。
【手続補正３】
【補正対象書類名】明細書
【補正対象項目名】００１６
【補正方法】変更
【補正の内容】
【００１６】
ハウジング２１は、さらに複数のスペーサー２６および複数のスリット２７を有する。複数のスペーサー２６はハウジング２１の底板２１１から上に伸びて形成され、溢水収容室２４内に円弧状に配置されて穿孔２１２を囲んで円筒構造になる。複数のスリット２７は二つずつのスペーサー２６の間に所定距離を置いて形成され、円筒構造の軸心に対して等角を呈するように配置される。複数のスペーサー２６は複数の水流誘導板２６１を有する。複数の水流誘導板２６１はそれぞれのスリット２７を挟む二つのスペーサー２６のうち一方のスペーサー２６の端部からスリット２７を跨ぐように、前記円筒構造の外側に向かって円弧状に伸びて形成されて、他方の前記スペーサーとの間に所定距離を置いて、開口部が外向きの流路を形成している。
複数のスペーサー２６から囲まれた空間は複数のスリット２７および複数の流路２７１によって外部に繋がる。複数の水流誘導板２６１は円筒構造の軸心を中心に時計回りに並んで広がる。